(57)【要約】【課題】開口部を片手で開閉することが容易な開閉具を有する袋体、該開閉具を有する袋体に合成樹脂製チャック又は面ファスナーを設けた開閉具を有する袋体を提供する。【解決手段】２つの辺１、２と、２つの交点３、４とで構成する袋体５の開口部６にて、直線部８、９、４６、４７を各々配置し、接続点１０、１１、１２、１３と連接点２０、２１、２２、２３を各々接続した接続線１４、１５、１６、１７を設け、接続線１４、１５、１６、１７と直線部８、４６、９、４７とからなる支持部４４、４８、４９、５０を各々配置し、各々の同一の辺１、２上で対向する連接点２０、２１、２２、２３同士を重ね合わせて中心とし揺動可能に一体的に設けた第１ヒンジ２９、３０を各々配置し、開口部６の中央部７の中心４５を基準として各々の第１ヒンジ２９、３０を点対称に設けて、板状体１９からなる開閉具１８を有する袋体５。【選択図】図１
2008230655.tif 000002
【特許請求の範囲】
【請求項１】
同じ長さの対面する２つの辺と、該辺の対面する端部同士を各々接続して形成した２つの交点とで構成する袋体の開口部にて、該交点近傍から該開口部の中央部に向かって該辺に沿って該辺に一体的に設けた直線部を各々配置し、接続点と連接点を各々接続した接続線について、該接続点を該直線部上に各々配置し、該連接点を、該辺の長手方向にて該接続点に対して該中央部寄り、かつ、該辺の短手方向にて該交点に対して該開口部の外方に各々配置し、該接続線と該直線部とからなる支持部を各々配置し、各々の同一の該辺上で対向する該連接点同士を重ね合わせて中心とし揺動可能に一体的に設けた第１ヒンジを各々配置し、該開口部の該中央部の中心を基準として各々の該第１ヒンジを点対称、もしくは、閉じた開口部の重ねた該辺を基準として各々の該第１ヒンジを線対称に設け、板状体、または、棒状体、または、各々の同一の該直線部上に複数の該接続点を設けて同一の該連接点を有する複数の該接続線と該直線部とからなる該支持部とした開閉具を有する袋体で、該直線部の該交点寄りの端部である各々の直線第２端部から、または、各々の同一の該交点近傍にある該直線第２端部同士を揺動可能に一体的に各々接続した第２ヒンジから、該中央部に向かう方向へ各々の力を加えると開口し、該第１ヒンジから、該中央部に向かう方向へ各々の力を加えると閉口することを特徴とする開閉具を有する袋体。
【請求項２】
該第１ヒンジに代えて、もしくは、該第１ヒンジに並行して、もしくは、該第１ヒンジと該接続線に代えて、もしくは、各々の同一の該交点近傍にある該直線第２端部間に、一体的に弾性体を各々設けることを特徴とする請求項１に記載の開閉具を有する袋体で、該直線部の該交点寄りの端部である各々の直線第２端部から、または、各々の同一の該交点近傍にある該直線第２端部同士を揺動可能に一体的に各々接続した第２ヒンジから、該中央部に向かう方向へ各々の力を加えると開口し、該力を開放すると閉口することを特徴とする開閉具を有する袋体。
【請求項３】
請求項１〜２に記載の開閉具を有する袋体において、互いに咬合する合成樹脂製チャックを該開口部の対向した内側面に設けることを特徴とする開閉具を有する袋体。
【請求項４】
請求項１〜２に記載の開閉具を有する袋体において、互いに咬合する面ファスナーを該開口部の対向した内側面に設けることを特徴とする開閉具を有する袋体。
【発明の詳細な説明】
【技術分野】
【０００１】
本発明は、開閉具を有する袋体に関し、さらに、本発明は、合成樹脂製チャックを設けた、開閉具を有する袋体に関し、また、本発明は、面ファスナーを設けた、開閉具を有する袋体に関する。
【背景技術】
【０００２】
一般に、図２７に示すように、同じ長さの対面する２つの辺（１Ａ）（２Ａ）と、該辺（１Ａ）（２Ａ）の対面する端部同士を各々接続して形成した２つの交点（３Ａ）（４Ａ）とで構成する開口部（６Ａ）を持つ袋体（５Ａ）について、閉じた開口部を手で開く場合、両手を使用して開口部の辺を指でつまみながら開いている。また、互いに咬合する合成樹脂製チャック又は面ファスナーを該開口部の対向した内側面に設けた袋体についても同様である。また、同じ長さの対面する２つの辺と、該辺の対面する端部同士を各々接続して形成した２つの交点とで構成する開口部を持つ袋体について、袋体の開口部の折曲部に断面が外方へ凸になるように円弧状に湾曲させた２枚の板バネをその凹面が互いに対向するように挿入するとともに、同板バネの折曲部両側方へ露出した両端部を互いに回動可能に軸着した携帯用灰皿（特許文献１参照）がある。また、前記の携帯用灰皿について、開口部を開く場合の力を弱めるものとして、板バネの両端部近傍に切開部を設けたもの（特許文献２参照）、一対の板バネの一方の横方向の長さを他方より短くして、その短い方の板バネの両端を他方の長い方の板バネの両端より内側に位置させたもの（特許文献３参照）がある。あるいは、特許文献１の携帯用灰皿をワンタッチ開閉式包装用袋として、袋体の内部の両側辺及び底辺に沿うように略コの字形に形成された棒状体であって、両側辺に沿った平行部が下端を支点として拡開しようとする弾発性を有する合成樹脂製の弾発部材と、袋体の上端に沿って設けられ、両端がそれぞれ弾発部材の平行部の上端に枢着されるとともに外面が袋体の内面に接着され、互いに重なり合った前後一対の合成樹脂製の板バネを設けたもの（特許文献４参照）がある。
【特許文献１】実用新案出願公告昭５０−１１５００
【特許文献２】特開２００３−１４４１２７
【特許文献３】特開２００１−２５８５３５
【特許文献４】特開平９−３０１３８６
【発明の開示】
【発明が解決しようとする課題】
【０００３】
一般に、図２７に示すように、同じ長さの対面する２つの辺（１Ａ）（２Ａ）と、該辺（１Ａ）（２Ａ）の対面する端部同士を各々接続して形成した２つの交点（３Ａ）（４Ａ）とで構成する開口部（６Ａ）を持つ袋体（５Ａ）について、閉じた開口部を手で開く場合、開口部の端を両手の指でつまみながら開いているが、開口部を開く場合に両手を使用しなければならず手間がかかり又両手を使用するため時間がかかるという問題がある。また、互いに咬合する合成樹脂製チャック又は面ファスナーを該開口部の対向した内側面に設けた袋体についても同様である。本発明は、前記問題を解消し、開口部を片手で開閉することが容易な開閉具を有する袋体を提供することを目的とする。
【０００４】
前記従来例の特許文献１は、板バネ自身の断面を外方へ凸になるように円弧状に湾曲させたので、閉じた開口部の両端部を押圧した場合、２枚重ねになって折れ曲がることはなく、開口される方向へ板バネは折り曲がる効果を生じ、また、扁平な板バネに比較して開口状態から閉口状態への復元能力が高くなるとともに、剛性も高くなり、袋体の開口部の密閉状態をより確実に保持できる効果がある。しかし、同時に、扁平な場合と同じ断面積でも湾曲されていた方がその断面係数が大きくなる等から、両端部を手で押圧して開口する場合の力が大きくなるという問題がある。前記従来例の特許文献２は、その開口する場合の力が大きくなるという問題に対処すべく、開口部を開く場合の力を弱めるためのものであるが、反面、両端部を手で押圧した力を中央部に伝達して開口部を開くという役目も維持しなければならないことから、弱める力の最低値に限りがあり容易ではないという問題がある。また、特許文献１で使用の板バネにおいて、両端部を手で押圧して開口する場合の力を小さくするため剛性の低い材質の板バネを設けているもの、あるいは、特許文献２で使用の板バネについては、開口部を開いた場合に板バネの剛性が低いため、板バネが金属製のものは場合によっては手で押圧して開口した力により板バネが変形して、閉じた開口部に隙間が生じるという問題がある。また、前記従来例の特許文献３は、両端部を手で押圧して開口する場合の力が大きくなるのを防ぐため、両端部を手で押圧して開口する場合、長い方の板バネだけが湾曲して開口部が半開き状態となり、次に短い方の板バネも湾曲して開口部が全開状態となる２段階になっていて、２段階に分割することにより開口部を開く場合の力は１段階当たり小さくなるが、それ以上、弱めることは容易ではないという問題がある。本発明は、前記諸問題を解消し、開口部を開く場合の力の最低値の設定の自由度を高めることが可能な開閉具を有する袋体を提供することを目的とする。さらに、該開閉具を有する袋体において、閉じた場合の開口部の閉塞性を備えた開閉具を有する袋体を提供することを目的とする。
【０００５】
前記従来例の特許文献４は、板バネと弾発部材にて合成樹脂性を採用しているので、開口部を開く場合の力を弱めることもできるが、板バネについては両端部を手で押圧した力を中央部に伝達して開口部を開くという役目も維持しなければならないことから限定的であり、また、板バネと弾発部材の合計２箇所あるので、合計値として弱める力の値に限りがあり容易ではないという問題がある。また、板バネ以外に弾発部材を、袋体の内部の両側辺及び底辺に沿うように略コの字形に形成することから、材料等のコストの負担が増えるという問題がある。また、断面を外方へ凸になるように円弧状に湾曲させた板バネを合成樹脂で加工する場合、加工が容易ではないという問題がある。本発明は、前記諸問題を解消する開閉具を有する袋体を提供することを目的とする。
【０００６】
また、特許文献１〜４は、両端部を手で押圧して開いた開口部を、両端部を押圧していた手を離すことにより閉じるようになっていて、閉じる利点はあるものの、一定の時間、開口部を開いておくには両端部を手で押圧し続けなければならず、押し続ける力も小さくないという問題がある。本発明は、上記のように閉じないが、両端部を手で押圧して開口部を開くことが片手で容易にでき、開口部を開いておく場合にも両端部を手で押圧し続ける必要がない開閉具を有する袋体を提供することを目的とする。さらに、該開閉具を有する袋体において、閉じた場合の開口部の閉塞性を備えた開閉具を有する袋体を提供することを目的とする。
【０００７】
また、本発明は、両端部を手で押圧して開いた開口部を、両端部を押圧していた手を離すことにより閉じ、両端部を手で押圧して開口部を開くことが片手で容易にでき、一定の時間、開口部を開いておく場合にも両端部を手で押圧し続ける力の最低値の設定の自由度を高めることが可能な開閉具を有する袋体を提供することを目的とする。さらに、該開閉具を有する袋体において、閉じた場合の開口部の閉塞性を備えた開閉具を有する袋体を提供することを目的とする。
【０００８】
また、同じ長さの対面する２つの辺と、該辺の対面する端部同士を各々接続して形成した２つの交点とで構成する開口部を持つ袋体において、互いに咬合する合成樹脂製チャックを該開口部の対向した内側面に設けた袋体について、閉じた開口部を手で開く場合、開口部の端を両手の指でつまみながら開いているが、該袋体の咬合する力が強いため、開口部を開く場合に、開こうとして力を加え過ぎ、合成樹脂製の該袋体の強度の低い部分に力がかかる場合がある。その際、図２７にて、該交点（３Ａ）（４Ａ）近傍の袋体の一部が裂けたり、切断したりするという問題がある。本発明は、前記問題を解消する開閉具を有する袋体を提供することを目的とする。また、同じ長さの対面する２つの辺と、該辺の対面する端部同士を各々接続して形成した２つの交点とで構成する開口部を持つ袋体において、互いに咬合する合成樹脂製チャックを該開口部の対向した内側面に設けた袋体について、開いた開口部を手で閉じる場合、合成樹脂製チャックを咬合するため、合成樹脂製チャックの長さ分だけ指等でたどるようにして押さえなければならず、手間がかかるという問題がある。本発明は、前記問題を解消する開閉具を有する袋体を提供することを目的とする。
【課題を解決するための手段】
【０００９】
本発明によると上記課題は、次のようにして解決される。
（１）同じ長さの対面する２つの辺と、該辺の対面する端部同士を各々接続して形成した２つの交点とで構成する袋体の開口部にて、該交点近傍から該開口部の中央部に向かって該辺に沿って該辺に一体的に設けた直線部を各々配置し、接続点と連接点を各々接続した接続線について、該接続点を該直線部上に各々配置し、該連接点を、該辺の長手方向にて該接続点に対して該中央部寄り、かつ、該辺の短手方向にて該交点に対して該開口部の外方に各々配置し、該接続線と該直線部とからなる支持部を各々配置し、各々の同一の該辺上で対向する該連接点同士を重ね合わせて中心とし揺動可能に一体的に設けた第１ヒンジを各々配置し、該開口部の該中央部の中心を基準として各々の該第１ヒンジを点対称、もしくは、閉じた開口部の重ねた該辺を基準として各々の該第１ヒンジを線対称に設け、板状体、または、棒状体、または、各々の同一の該直線部上に複数の該接続点を設けて同一の該連接点を有する複数の該接続線と該直線部とからなる該支持部とした開閉具を有する袋体で、該直線部の該交点寄りの端部である各々の直線第２端部から、または、各々の同一の該交点近傍にある該直線第２端部同士を揺動可能に一体的に各々接続した第２ヒンジから、該中央部に向かう方向へ各々の力を加えると開口し、該第１ヒンジから、該中央部に向かう方向へ各々の力を加えると閉口することを特徴とする開閉具を有する袋体とする。
【００１０】
（２）上記（１）項に記載の開閉具を有する袋体において、該第１ヒンジに代えて、もしくは、該第１ヒンジに並行して、もしくは、該第１ヒンジと該接続線に代えて、もしくは、各々の同一の該交点近傍にある該直線第２端部間に、一体的に弾性体を各々設けることを特徴とする開閉具を有する袋体で、該直線部の該交点寄りの端部である各々の直線第２端部から、または、各々の同一の該交点近傍にある該直線第２端部同士を揺動可能に一体的に各々接続した第２ヒンジから、該中央部に向かう方向へ各々の力を加えると開口し、該力を開放すると閉口することを特徴とする開閉具を有する袋体。
【００１１】
（３）上記（１）〜（２）項に記載の開閉具を有する袋体において、互いに咬合する合成樹脂製チャックを該開口部の対向した内側面に設けることを特徴とする開閉具を有する袋体とする。
【００１２】
（４）上記（１）〜（２）項に記載の開閉具を有する袋体において、互いに咬合する面ファスナーを該開口部の対向した内側面に設けることを特徴とする開閉具を有する袋体とする
【発明の効果】
【００１３】
本発明によれば、次のような効果を奏する。
（１）本発明の請求項１に記載の発明によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができ、また、消耗する部位が少ないため故障が少なく、材料等のコスト削減ができ、また、加工性がよく、また、開口部の両端を手で押圧して開口する場合の力が大きくならず小さくて済み、また、手で押圧して開口した力により変形して、閉じた開口部に隙間が生じることがない。
【００１４】
（２）本発明の請求項２に記載の発明によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができ、また、消耗する部位が少ないため故障が少なく、材料等のコスト削減ができ、また、加工性がよく、また、開口部の両端を手で押圧して開口する場合の力が大きくならないように、開口部を開く場合の力の最低値の設定の自由度を高めることが可能で、また、押圧していた手を放すと閉じ、一定の時間、開口部を開いておく場合にも両端を手で押圧し続ける力の最低値の設定の自由度を高めることができる。
【００１５】
（３）本発明の請求項３に記載の発明によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができ、また、消耗する部位が少ないため故障が少なく、材料等のコスト削減ができ、また、加工性がよく、また、開口部の両端を手で押圧して開口する場合の力が大きくならず小さくて済み、手で押圧して開口した力により変形して、閉じた開口部に隙間が生じることがなく、もしくは、開口部の両端を手で押圧して開口する場合の力が大きくならないように、開口部を開く場合の力の最低値の設定の自由度を高めることが可能で、押圧していた手を放すと閉じ、一定の時間、開口部を開いておく場合にも両端を手で押圧し続ける力の最低値の設定の自由度を高めることができ、さらに、閉じた場合の開口部の閉塞性を高めることができ、さらに、開口部を開く場合に、開こうとして力を加え過ぎることがなく、袋体の一部が裂けることを防ぐことができ、さらに、開いた開口部を手で閉じる場合、各々の該第１ヒンジを中心に指等で押さえるだけで、合成樹脂製チャックの長さ分だけ指等でたどるようにして押さえるということが低減でき、手間を軽減できる。
【００１６】
（４）本発明の請求項４に記載の発明によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができ、また、消耗する部位が少ないため故障が少なく、材料等のコスト削減ができ、また、加工性がよく、また、開口部の両端を手で押圧して開口する場合の力が大きくならず小さくて済み、手で押圧して開口した力により変形して、閉じた開口部に隙間が生じることがなく、もしくは、開口部の両端を手で押圧して開口する場合の力が大きくならないように、開口部を開く場合の力の最低値の設定の自由度を高めることが可能で、押圧していた手を放すと閉じ、一定の時間、開口部を開いておく場合にも両端を手で押圧し続ける力の最低値の設定の自由度を高めることができ、さらに、閉じた場合の開口部の閉塞性を高めることができる。
【発明を実施するための最良の形態】
【００１７】
以下に、添付図面に基づいて本発明の実施の形態について詳細に説明するが、本発明の範囲は、以下に説明する実施の形態に限定するものではない。最初に本発明の一実施形態である、実施例１である、開閉具（１８）を有する袋体（５）について記す。図１は、袋体の開閉具（１８）の開口部を閉じた状態の斜視図、図２は、袋体の開閉具（１８）（１８ｋ）（１８ｍ）の開口部を開いた状態の斜視図である。開閉具（１８）を有する袋体（５）は、図１〜図２にて、同じ長さの対面する２つの辺（１）（２）と、該辺（１）（２）の対面する端部同士を各々接続して形成した２つの交点（３）（４）とで構成する袋体（５）の開口部（６）にて、該交点（３）近傍から該開口部（６）の中央部（７）に向かって該辺（１）に沿って該辺（１）に一体的に設けた直線部（８）を配置してある。同様に、該交点（３）近傍から該開口部（６）の中央部（７）に向かって該辺（２）に沿って該辺（２）に一体的に設けた直線部（９）を配置してある。同様に、該交点（４）近傍から該開口部（６）の中央部（７）に向かって該辺（１）に沿って該辺（１）に一体的に設けた直線部（４６）を配置してある。同様に、該交点（４）近傍から該開口部（６）の中央部（７）に向かって該辺（２）に沿って該辺（２）に一体的に設けた直線部（４７）を配置してある。つまり、該交点（３）（４）近傍から該開口部（６）の中央部（７）に向かって該辺（１）（２）に沿って該辺（１）（２）に一体的に設けた直線部（８）（９）（４６）（４７）を各々配置してある。接続点（１０）と連接点（２０）を接続した接続線（１４）を設けてある。同様に、接続点（１１）と連接点（２１）を接続した接続線（１５）を設けてある。同様に、接続点（１２）と連接点（２２）を接続した接続線（１６）を設けてある。同様に、接続点（１３）と連接点（２３）を接続した接続線（１７）を設けてある。つまり、接続点（１０）（１１）（１２）（１３）と連接点（２０）（２１）（２２）（２３）を各々接続した接続線（１４）（１５）（１６）（１７）を設けてある。該接続点（１０）を該直線部（８）上に配置してある。同様に、該接続点（１１）を該直線部（４６）上に配置してある。同様に、該接続点（１２）を該直線部（９）上に配置してある。同様に、該接続点（１３）を該直線部（４７）上に配置してある。つまり、該接続点（１０）（１１）（１２）（１３）を該直線部（８）（４６）（９）（４７）上に各々配置してある。該連接点（２０）を、該辺（１）（２）の長手方向（矢印Ｔ）にて該接続点（１０）に対して該中央部（７）寄りへ配置してある。かつ、該連接点（２０）を、該辺（１）（２）の短手方向（矢印Ｍ）にて該交点（３）に対して該開口部（６）の外方（矢印Ｓ１）に配置してある。同様に、該連接点（２１）を、該辺（１）（２）の長手方向（矢印Ｔ）にて該接続点（１１）に対して該中央部（７）寄りへ配置してある。かつ、該連接点（２１）を、該辺（１）（２）の短手方向（矢印Ｍ）にて該交点（４）に対して該開口部（６）の外方（矢印Ｓ１）に配置してある。同様に、該連接点（２２）を、該辺（１）（２）の長手方向（矢印Ｔ）にて該接続点（１２）に対して該中央部（７）寄りへ配置してある。かつ、該連接点（２２）を、該辺（１）（２）の短手方向（矢印Ｍ）にて該交点（３）に対して該開口部（６）の外方（矢印Ｓ２）に配置してある。同様に、該連接点（２３）を、該辺（１）（２）の長手方向（矢印Ｔ）にて該接続点（１３）に対して該中央部（７）寄りへ配置してある。かつ、該連接点（２３）を、該辺（１）（２）の短手方向（矢印Ｍ）にて該交点（４）に対して該開口部（６）の外方（矢印Ｓ２）に配置してある。つまり、該連接点（２０）（２１）（２２）（２３）を、該辺（１）（２）の長手方向（矢印Ｔ）にて該接続点（１０）（１１）（１２）（１３）に対して該中央部（７）寄りへ各々配置してある。かつ、該連接点（２０）（２１）（２２）（２３）を、該辺（１）（２）の短手方向（矢印Ｍ）にて該交点（３）（４）に対して該開口部（６）の外方（矢印Ｓ１）（矢印Ｓ２）に各々配置してある。該接続線（１４）と該直線部（８）とからなる支持部（４４）を配置してある。同様に、該接続線（１５）と該直線部（４６）とからなる支持部（４８）を配置してある。同様に、該接続線（１６）と該直線部（９）とからなる支持部（４９）を配置してある。同様に、該接続線（１７）と該直線部（４７）とからなる支持部（５０）を配置してある。つまり、該接続線（１４）（１５）（１６）（１７）と該直線部（８）（４６）（９）（４７）とからなる支持部（４４）（４８）（４９）（５０）を各々配置してある。同一の該辺（１）上で対向する該連接点（２０）（２１）同士を重ね合わせて中心とし揺動可能に一体的に設けた第１ヒンジ（２９）を配置してある。同様に、同一の該辺（２）上で対向する該連接点（２２）（２３）同士を重ね合わせて中心とし揺動可能に一体的に設けた第１ヒンジ（３０）を配置してある。つまり、各々の同一の該辺（１）（２）上で対向する該連接点（２０）（２１）（２２）（２３）同士を重ね合わせて中心とし揺動可能に一体的に設けた第１ヒンジ（２９）（３０）を各々配置してある。該開口部（６）の該中央部（７）の中心（４５）を基準として各々の該第１ヒンジ（２９）（３０）を点対称に設けてある。もしくは、閉じた開口部（６）の重ねた該辺（１）（２）を基準として各々の該第１ヒンジ（２９）（３０）を線対称に設けてある。板状体（１９）からなる該開閉具（１８）を有する袋体（５）である。該直線部（８）の該交点（３）寄りの端部である直線第２端部（２４）から、該中央部（７）に向かう方向（矢印Ｙ１）へ力を加えると開口することを特徴とする開閉具（１８）を有する袋体（５）である。同様に、該直線部（９）の該交点（３）寄りの端部である直線第２端部（２６）から、該中央部（７）に向かう方向（矢印Ｙ１）へ力を加えると開口することを特徴とする開閉具（１８）を有する袋体（５）である。同様に、該直線部（４６）の該交点（４）寄りの端部である直線第２端部（２５）から、該中央部（７）に向かう方向（矢印Ｙ２）へ力を加えると開口することを特徴とする開閉具（１８）を有する袋体（５）である。同様に、該直線部（４７）の該交点（４）寄りの端部である直線第２端部（２７）から、該中央部（７）に向かう方向（矢印Ｙ２）へ力を加えると開口することを特徴とする開閉具（１８）を有する袋体（５）である。つまり、該直線部（８）（９）（４６）（４７）の該交点（３）（４）寄りの端部である各々の直線第２端部（２４）（２６）（２５）（２７）から、該中央部（７）に向かう方向（矢印Ｙ１）（矢印Ｙ２）へ各々の力を加えると開口することを特徴とする開閉具（１８）を有する袋体（５）である。また、該第１ヒンジ（２９）から、該中央部（７）に向かう方向（矢印Ｎ１）へ力を加えると閉口することを特徴とする開閉具（１８）を有する袋体（５）である。同様に、また、該第１ヒンジ（３０）から、該中央部（７）に向かう方向（矢印Ｎ２）へ力を加えると閉口することを特徴とする開閉具（１８）を有する袋体（５）である。つまり、該第１ヒンジ（２９）（３０）から、該中央部（７）に向かう方向（矢印Ｎ１）（矢印Ｎ２）へ各々の力を加えると閉口することを特徴とする開閉具（１８）を有する袋体（５）である。次に、実施例１である、開閉具（１８）を有する袋体（５）の作用について説明する。閉じた該開口部（６）にて、該直線部（８）（９）（４６）（４７）の該交点（３）（４）寄りの端部である該直線第２端部（２４）（２６）（２５）（２７）から、該中央部（７）に向かう方向（矢印Ｙ１）（矢印Ｙ２）へ各々の力を加えると、該直線第２端部（２４）（２６）（２５）（２７）から該直線部（８）（９）（４６）（４７）へ各々の力が伝わり、さらに、該第１ヒンジ（２９）（３０）に向かって、該接続線（１４）（１６）（１５）（１７）へ各々の力が伝わり、該開口部（６）が開口する。また、開いた該開口部（６）にて、該第１ヒンジ（２９）（３０）から、該中央部（７）に向かう方向（矢印Ｎ１）（矢印Ｎ２）へ各々の力を加えると、該第１ヒンジ（２９）（３０）から該接続線（１４）（１６）（１５）（１７）へ各々の力が伝わり、さらに、該交点（３）（４）に向かって、該直線部（８）（９）（４６）（４７）へ各々の力が伝わり、該開口部（６）が閉口する。手で押圧する力を媒介する該支持部によって一定の方向のみに力を伝達するため、無駄がなく、伝達する効率が良い。実施例１である、開閉具（１８）を有する袋体（５）によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができる。また、消耗する部位が少ないため故障が少なく、材料等のコスト削減ができる。また、合成樹脂等でも加工が容易にできるので加工性がよい。また、開口部の両端を手で押圧して開口する場合、ほとんど力を必要とせず、開口部の両端を手で押圧して開口する場合の力が大きくならず小さくて済む。また、手で押圧して開口した力により変形して、閉じた開口部に隙間が生じることがない。
【００１８】
次に本発明の他の一実施形態である、実施例２である、開閉具（１８ａ）を有する袋体について記す。図３は、袋体の開閉具（１８ａ）の開口部を閉じた状態の斜視図である。開閉具（１８ａ）を有する袋体は、開閉具（１８）を有する袋体（５）において、板状体（１９）からなる開閉具（１８）を有する袋体（５）に代えて、棒状体（２８）からなる開閉具（１８ａ）を有する袋体である。
【００１９】
次に本発明の他の一実施形態である、実施例３である、開閉具（１８ｂ）を有する袋体について記す。図４は、袋体の開閉具（１８ｂ）の開口部を閉じた状態の斜視図である。開閉具（１８ｂ）を有する袋体は、開閉具（１８）を有する袋体（５）において、板状体（１９）からなる開閉具（１８）を有する袋体（５）に代えて、同一の該直線部（８ｂ）上に複数の該接続点（１０ｂ）（５６）を設けて同一の該連接点（２０ｂ）を有する複数の該接続線（１４ｂ）（６０）と該直線部（８ｂ）とからなる該支持部（４４ｂ）とした開閉具（１８ｂ）を有する袋体である。同様に、同一の該直線部（９ｂ）上に複数の該接続点（１２ｂ）（５８）を設けて同一の該連接点（２２ｂ）を有する複数の該接続線（１６ｂ）（６２）と該直線部（９ｂ）とからなる該支持部（４９ｂ）とした開閉具（１８ｂ）を有する袋体である。同様に、同一の該直線部（４６ｂ）上に複数の該接続点（１１ｂ）（５７）を設けて同一の該連接点（２１ｂ）を有する複数の該接続線（１５ｂ）（６１）と該直線部（４６ｂ）とからなる該支持部（４８ｂ）とした開閉具（１８ｂ）を有する袋体である。同様に、同一の該直線部（４７ｂ）上に複数の該接続点（１３ｂ）（５９）を設けて同一の該連接点（２３ｂ）を有する複数の該接続線（１７ｂ）（６３）と該直線部（４７ｂ）とからなる該支持部（５０ｂ）とした開閉具（１８ｂ）を有する袋体である。つまり、各々の同一の該直線部（８ｂ）（９ｂ）（４６ｂ）（４７ｂ）上に複数の該接続点（１０ｂ）（１２ｂ）（１１ｂ）（１３ｂ）（５６）（５８）（５７）（５９）を設けて同一の該連接点（２０ｂ）（２２ｂ）（２１ｂ）（２３ｂ）を有する複数の該接続線（１４ｂ）（１６ｂ）（１５ｂ）（１７ｂ）（６０）（６２）（６１）（６３）と該直線部（８ｂ）（９ｂ）（４６ｂ）（４７ｂ）とからなる該支持部（４４ｂ）（４９ｂ）（４８ｂ）（５０ｂ）とした開閉具（１８ｂ）を有する袋体である。
【００２０】
また、実施例１である、開閉具（１８）を有する袋体（５）について、一部を次のようにしてもよい。本発明の他の一実施形態である、実施例４である、開閉具（１８ｃ）を有する袋体について記す。図５は、袋体の開閉具（１８ｃ）の開口部を閉じた状態の斜視図である。開閉具（１８ｃ）を有する袋体は、開閉具（１８）を有する袋体（５）において、該開口部（６ｃ）の該中央部（７ｃ）の中心（４５ｃ）を基準として各々の該第１ヒンジ（２９ｃ）（３０ｃ）を点対称に設けてある。
【００２１】
また、実施例１である、開閉具（１８）を有する袋体（５）について、一部を次のようにしてもよい。本発明の他の一実施形態である、実施例５である、開閉具（１８ｄ）を有する袋体について記す。図６は、袋体の開閉具（１８ｄ）の開口部を閉じた状態の斜視図である。開閉具（１８ｄ）を有する袋体は、開閉具（１８）を有する袋体（５）において、閉じた開口部（６ｄ）の重ねた該辺（１ｄ）（２ｄ）を基準として各々の該第１ヒンジ（２９ｄ）（３０ｄ）を線対称に設けてある。
【００２２】
次に本発明の他の一実施形態である、実施例６である、開閉具（１８ｅ）を有する袋体について記す。図７は、袋体の開閉具（１８ｅ）の開口部を閉じた状態の斜視図である。開閉具（１８ｅ）を有する袋体は、開閉具（１８）を有する袋体（５）において、同一の該交点（３ｅ）近傍にある該直線第２端部（２４ｅ）（２６ｅ）同士を揺動可能に一体的に接続した第２ヒンジ（３１）を有する。同様に、同一の該交点（４ｅ）近傍にある該直線第２端部（２５ｅ）（２７ｅ）同士を揺動可能に一体的に接続した第２ヒンジ（３２）を有する。つまり、各々の同一の該交点（３ｅ）（４ｅ）近傍にある該直線第２端部（２４ｅ）（２６ｅ）（２５ｅ）（２７ｅ）同士を揺動可能に一体的に各々接続した第２ヒンジ（３１）（３２）を有する。同一の該交点（３ｅ）近傍にある該直線第２端部（２４ｅ）（２６ｅ）同士を揺動可能に一体的に接続した第２ヒンジ（３１）から、該中央部（７ｅ）に向かう方向（矢印Ｙ１ｅ）へ力を加えると開口することを特徴とする開閉具（１８ｅ）を有する袋体である。同様に、同一の該交点（４ｅ）近傍にある該直線第２端部（２５ｅ）（２７ｅ）同士を揺動可能に一体的に接続した第２ヒンジ（３２）から、該中央部（７ｅ）に向かう方向（矢印Ｙ２ｅ）へ力を加えると開口することを特徴とする開閉具（１８ｅ）を有する袋体である。つまり、各々の同一の該交点（３ｅ）（４ｅ）近傍にある該直線第２端部（２４ｅ）（２６ｅ）（２５ｅ）（２７ｅ）同士を揺動可能に一体的に各々接続した第２ヒンジ（３１）（３２）から、該中央部（７ｅ）に向かう方向（矢印Ｙ１ｅ）（矢印Ｙ２ｅ）へ各々の力を加えると開口することを特徴とする開閉具（１８ｅ）を有する袋体である。
【００２３】
また、開閉具（１８ｅ）を有する袋体において、各々どちらか一方の第２ヒンジ（３１）（３２）だけを有することも可能である。次に本発明の他の一実施形態である、実施例７である、開閉具（１８ｆ）を有する袋体について記す。図８は、袋体の開閉具（１８ｆ）の開口部を閉じた状態の斜視図である。開閉具（１８ｆ）を有する袋体は、開閉具（１８）を有する袋体（５）において、同一の該交点（３ｆ）近傍にある該直線第２端部（２４ｆ）（２６ｆ）同士を揺動可能に一体的に接続した第２ヒンジ（３１ｆ）を有する。また、特に図示しないが、開閉具を有する袋体は、開閉具（１８）を有する袋体（５）において、同一の該交点近傍にある該直線第２端部同士を揺動可能に一体的に接続した第２ヒンジ（３２）を有する、としてもよい。
【００２４】
次に本発明の他の一実施形態である、実施例８である、開閉具（１８ｇ）を有する袋体について記す。図９は、袋体の開閉具（１８ｇ）の開口部を閉じた状態の斜視図である。開閉具（１８ｇ）を有する袋体は、開閉具（１８）を有する袋体（５）において、該第１ヒンジ（２９）に代えて、一体的に弾性体（３３）を設ける。同様に該第１ヒンジ（３０）に代えて、一体的に弾性体（６６）を設ける。つまり、該第１ヒンジ（２９）（３０）に代えて、一体的に弾性体（３３）（６６）を各々設ける。該直線部（８ｇ）の該交点（３ｇ）寄りの端部である直線第２端部（２４ｇ）から、該中央部（７ｇ）に向かう方向（矢印Ｙ１ｇ）へ力を加えると開口することを特徴とする開閉具（１８ｇ）を有する袋体である。同様に、該直線部（９ｇ）の該交点（３ｇ）寄りの端部である直線第２端部（２６ｇ）から、該中央部（７ｇ）に向かう方向（矢印Ｙ１ｇ）へ力を加えると開口することを特徴とする開閉具（１８ｇ）を有する袋体である。同様に、該直線部（４６ｇ）の該交点（４ｇ）寄りの端部である直線第２端部（２５ｇ）から、該中央部（７ｇ）に向かう方向（矢印Ｙ２ｇ）へ力を加えると開口することを特徴とする開閉具（１８ｇ）を有する袋体である。同様に、該直線部（４７ｇ）の該交点（４ｇ）寄りの端部である直線第２端部（２７ｇ）から、該中央部（７ｇ）に向かう方向（矢印Ｙ２ｇ）へ力を加えると開口することを特徴とする開閉具（１８ｇ）を有する袋体である。つまり、該直線部（８ｇ）（９ｇ）（４６ｇ）（４７ｇ）の該交点（３ｇ）（４ｇ）寄りの端部である各々の直線第２端部（２４ｇ）（２６ｇ）（２５ｇ）（２７ｇ）から、該中央部（７ｇ）に向かう方向（矢印Ｙ１ｇ）（矢印Ｙ２ｇ）へ各々の力を加えると開口することを特徴とする開閉具（１８ｇ）を有する袋体である。また、該力を開放すると閉口することを特徴とする開閉具（１８ｇ）を有する袋体である。実施例８である、開閉具（１８ｇ）を有する袋体によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができる。また、消耗する部位が少ないため故障が少なく、材料等のコスト削減ができる。また、合成樹脂等でも加工が容易にできるので加工性がよい。また、開口部の両端を手で押圧して開口する場合の力が大きくならないように、開口部を開く場合の力の最低値の設定の自由度を高めることが可能である。また、押圧していた手を放すと閉じることができ、また、一定の時間、開口部を開いておく場合にも両端を手で押圧し続ける力の最低値の設定の自由度を高めることができる。
【００２５】
次に本発明の他の一実施形態である、実施例９である、開閉具（１８ｈ）を有する袋体について記す。図１０は、袋体の開閉具（１８ｈ）の開口部を閉じた状態の斜視図である。開閉具（１８ｈ）を有する袋体は、開閉具（１８）を有する袋体（５）において、該第１ヒンジ（２９ｈ）に並行して一体的に弾性体（３３ｈ）を設ける。同様に、該第１ヒンジ（３０ｈ）に並行して一体的に弾性体（６６ｈ）を設ける。つまり、該第１ヒンジ（２９ｈ）（３０ｈ）に並行して一体的に弾性体（３３ｈ）（６６ｈ）を各々設ける。
【００２６】
次に本発明の他の一実施形態である、実施例１０である、開閉具（１８ｉ）を有する袋体について記す。図１１は、袋体の開閉具（１８ｉ）の開口部を閉じた状態の斜視図である。開閉具（１８ｉ）を有する袋体は、開閉具（１８）を有する袋体（５）において、該第１ヒンジ（２９）と該接続線（１４）（１５）に代えて、一体的に弾性体（３３ｉ）を設ける。同様に、該第１ヒンジ（３０）と該接続線（１６）（１７）に代えて、一体的に弾性体（６６ｉ）を設ける。つまり、該第１ヒンジ（２９）（３０）と該接続線（１４）（１５）（１６）（１７）に代えて、一体的に弾性体（３３ｉ）（６６ｉ）を各々設ける。
【００２７】
次に本発明の他の一実施形態である、実施例１１である、開閉具（１８ｊ）を有する袋体について記す。図１２は、袋体の開閉具（１８ｊ）の開口部を閉じた状態の斜視図である。開閉具（１８ｊ）を有する袋体は、実施例８である、開閉具（１８ｇ）を有する袋体において、同一の該交点（３ｊ）近傍にある該直線第２端部（２４ｊ）（２６ｊ）間に一体的に弾性体（６７）を設ける。同様に、同一の該交点（４ｊ）近傍にある該直線第２端部（２５ｊ）（２７ｊ）間に一体的に弾性体（６８）を設ける。つまり、各々の同一の該交点（３ｊ）（４ｊ）近傍にある該直線第２端部（２４ｊ）（２６ｊ）（２５ｊ）（２７ｊ）間に一体的に弾性体（６７）（６８）を各々設ける。また、実施例６である、開閉具（１８ｅ）を有する袋体において、特に図示しないが、該第２ヒンジ（３１）（３２）に並行して一体的に弾性体を設けてもよい。つまり、言い換えると、各々の同一の該交点近傍にある該直線第２端部間に一体的に弾性体を各々設ける。
【００２８】
次に本発明の他の一実施形態である、実施例１２である、開閉具（１８ｋ）を有する袋体（５ｋ）について記す。開閉具（１８ｋ）を有する袋体（５ｋ）は、図２にて、開閉具（１８）を有する袋体（５）において、互いに咬合する合成樹脂製チャック（３５）（６４）を該開口部（６）の対向した内側面（３４）に設ける。実施例１２である、開閉具（１８ｋ）を有する袋体（５ｋ）によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができる。また、消耗する部位が少ないため故障が少なく、材料等のコスト削減ができる。また、合成樹脂等でも加工が容易にできるので加工性がよい。また、開口部の両端を手で押圧して開口する場合、ほとんど力を必要とせず、開口部の両端を手で押圧して開口する場合の力が大きくならず小さくて済む。また、手で押圧して開口した力により変形して、閉じた開口部に隙間が生じることがない。さらに、閉じた場合の開口部の閉塞性を高めることができる。さらに、手で押圧する力を媒介する支持部によって一定の方向のみに力を伝達するため、伝達する効率が良く、必要以上の力を必要としないので、開口部を開く場合に、開こうとして力を加え過ぎることがなく、方向も一定のため、袋体の一部が裂け、切断することを防ぐことができる。さらに、開いた開口部を手で閉じる場合、各々の該第１ヒンジを中心に指等で押さえ、各々の該第１ヒンジから、該中央部に向かう方向へ各々の力を加えることにより、手で押圧する力を媒介する支持部によって一定の方向のみに力を伝達して、合成樹脂製チャックを咬合するので、合成樹脂製チャックの長さ分だけ指等でたどるようにして押さえるということが低減でき、手間を軽減できる。
【００２９】
次に本発明の他の一実施形態である、実施例１３である、開閉具（１８ｍ）を有する袋体（５ｍ）について記す。開閉具（１８ｍ）を有する袋体（５ｍ）は、図２にて、開閉具（１８）を有する袋体（５）において、互いに咬合する面ファスナー（３６）（６５）を該開口部（６）の対向した内側面（３４）に設ける。実施例１３である、開閉具（１８ｍ）を有する袋体（５ｍ）によれば、閉じた開口部を手で開く場合、開口部の端を両手の指でつまみながら開く必要がなく、開口部を開く場合に両手を使用する必要がなく、又両手を使用することによって時間がかかるということがなく、開口部を片手で短時間で開閉することができる。また、消耗する部位が少ないため故障が少なく、材料等のコスト削減ができる。また、合成樹脂等でも加工が容易にできるので加工性がよい。また、開口部の両端を手で押圧して開口する場合、ほとんど力を必要とせず、開口部の両端を手で押圧して開口する場合の力が大きくならず小さくて済む。また、手で押圧して開口した力により変形して、閉じた開口部に隙間が生じることがない。さらに、閉じた場合の開口部の閉塞性を高めることができる。
【００３０】
また、実施例１である、開閉具（１８）を有する袋体（５）について、一部を次のようにしてもよい。本発明の他の一実施形態である、実施例１４である、開閉具（１８ｎ）を有する袋体について記す。図１３は、袋体の開閉具（１８ｎ）の開口部を閉じた状態の斜視図である。開閉具（１８ｎ）を有する袋体は、接続点（５６ｎ）（５７ｎ）（５８ｎ）（５９ｎ）と連接点（２０ｎ）（２１ｎ）（２２ｎ）（２３ｎ）を接続した接続線（６０ｎ）（６１ｎ）（６２ｎ）（６３ｎ）を各々設けてある。該接続点（５６ｎ）（５７ｎ）（５８ｎ）（５９ｎ）を該直線部（８ｎ）（４６ｎ）（９ｎ）（４７ｎ）上に各々配置してある。該連接点（２０ｎ）（２１ｎ）（２２ｎ）（２３ｎ）を、該辺部（１ｎ）（２ｎ）の長手方向（矢印Ｔｎ）にて該接続点（５６ｎ）（５７ｎ）（５８ｎ）（５９ｎ）に対して該中央部（７ｎ）寄りへ各々配置してある。かつ、該連接点（２０ｎ）（２１ｎ）（２２ｎ）（２３ｎ）を、該辺部（１ｎ）（２ｎ）の短手方向（矢印Ｍｎ）にて該交点（３ｎ）（４ｎ）に対して該開口部（６ｎ）の外方（矢印Ｓ１ｎ）（矢印Ｓ２ｎ）に各々配置してある。該接続線（６０ｎ）（６１ｎ）（６２ｎ）（６３ｎ）と該直線部（８ｎ）（４６ｎ）（９ｎ）（４７ｎ）とからなる支持部（４４ｎ）（４８ｎ）（４９ｎ）（５０ｎ）を各々配置してある。
【００３１】
また、実施例３である、開閉具（１８ｂ）を有する袋体について、次のようにしてもよい。本発明の他の一実施形態である、実施例１５である、開閉具（１８ｐ）を有する袋体について記す。図１４は、袋体の開閉具（１８ｐ）の開口部を閉じた状態の斜視図である。なお、該接続点と該接続線は、複数、多数あるため、すべてを図中に記載できず、一部省略してある。その際、記載できなかった該接続点と該接続線は、まとめて文中にて（他）と記載してある。開閉具（１８ｐ）を有する袋体は、各々の同一の該直線部（８ｐ）（９ｐ）（４６ｐ）（４７ｐ）上に複数の該接続点（１０ｐ）（１２ｐ）（１１ｐ）（１３ｐ）（５６ｐ）（５８ｐ）（５７ｐ）（５９ｐ）（他）を設けて同一の該連接点（２０ｐ）（２２ｐ）（２１ｐ）（２３ｐ）を有する複数の該接続線（１４ｐ）（１６ｐ）（１５ｐ）（１７ｐ）（６０ｐ）（６２ｐ）（６１ｐ）（６３ｐ）（他）と該直線部（８ｐ）（９ｐ）（４６ｐ）（４７ｐ）とからなる該支持部（４４ｐ）（４９ｐ）（４８ｐ）（５０ｐ）とした開閉具（１８ｐ）を有する袋体である。
【００３２】
また、実施例１である、開閉具（１８）を有する袋体（５）について、次のようにしてもよい。本発明の他の一実施形態である、実施例１６である、開閉具（１８ｑ）を有する袋体について記す。図１５は、袋体の開閉具（１８ｑ）の開口部を閉じた状態の斜視図である。開閉具（１８ｑ）を有する袋体は、該直線部（８ｑ）（９ｑ）（４６ｑ）（４７ｑ）の該中央部（７ｑ）寄りの端部である直線第１端部（４０ｑ）（４２ｑ）（４１ｑ）（４３ｑ）を、該連接点（２０ｑ）（２２ｑ）（２１ｑ）（２３ｑ）に対して、該直線部（８ｑ）（９ｑ）（４６ｑ）（４７ｑ）の長手方向（矢印Ｔｑ）にて、近傍または該交点（３ｑ）（４ｑ）寄りに各々延設してもよい。つまり、言い換えると、開閉具（１８ｑ）を有する袋体は、該連接点（２０ｑ）（２２ｑ）（２１ｑ）（２３ｑ）を、該直線部（８ｑ）（９ｑ）（４６ｑ）（４７ｑ）の該中央部（７ｑ）寄りの端部である直線第１端部（４０ｑ）（４２ｑ）（４１ｑ）（４３ｑ）に対して該直線部（８ｑ）（９ｑ）（４６ｑ）（４７ｑ）の長手方向（矢印Ｔ１ｑ）にて近傍または該中央部（７ｑ）寄りへ各々配置してある。
【００３３】
また、実施例１である、開閉具（１８）を有する袋体（５）について、一部を次のようにしてある。開閉具（１８）を有する袋体（５）は、図１にて、直線状（３８）を有する接続線（１４）（１５）（１６）（１７）としてある。また、実施例１である、開閉具（１８）を有する袋体（５）について、一部を次のようにしてもよい。本発明の他の一実施形態である、実施例１７である、開閉具（１８ｒ）を有する袋体について記す。図１６は、袋体の開閉具（１８ｒ）の開口部を閉じた状態の斜視図である。開閉具（１８ｒ）を有する袋体は、湾曲状（３７）を有する接続線（１４ｒ）（１５ｒ）（１６ｒ）（１７ｒ）である。
【００３４】
また、実施例１である、開閉具（１８）を有する袋体（５）について、次のようにしてもよい。本発明の他の一実施形態である、実施例１８である、開閉具（１８ｓ）を有する袋体について記す。図１７は、袋体の開閉具（１８ｓ）の開口部を閉じた状態の斜視図である。開閉具（１８ｓ）を有する袋体は、蝶番（３９）からなる第１ヒンジ（２９ｓ）（３０ｓ）を各々設ける。また、軸支して設けてもよい。また、実施例６である、開閉具（１８ｅ）を有する袋体において、特に図示しないが、蝶番からなる第２ヒンジを各々設けてもよい。また、軸支して設けてもよい。
【００３５】
また、実施例８である、開閉具（１８ｇ）を有する袋体について、一部を次のようにしてある。開閉具（１８ｇ）を有する袋体は、図９にて、板ばねからなる弾性体（３３）（６６）を一体的に各々設けてある。また、実施例１０である、開閉具（１８ｉ）を有する袋体について、同じように一部を次のようにしてある。開閉具（１８ｉ）を有する袋体は、図１１にて、一体的に、板ばねからなる弾性体（３３ｉ）（６６ｉ）を各々設けてある。また、実施例８である、開閉具（１８ｇ）を有する袋体について、次のようにしてもよい。本発明の他の一実施形態である、実施例１９である、開閉具（１８ｔ）を有する袋体について記す。図１８は、袋体の開閉具（１８ｔ）の開口部を閉じた状態の斜視図である。開閉具（１８ｔ）を有する袋体は、一体的に、コイルばねからなる弾性体（３３ｔ）（６６ｔ）を各々設ける。また、実施例１１である、開閉具（１８ｊ）を有する袋体について、一部を次のようにしてある。開閉具（１８ｊ）を有する袋体は、図１２にて、一体的に、板ばねからなる弾性体（６７）（６８）を各々設ける。また、一部を次のようにしてもよい。実施例１１である、開閉具（１８ｊ）を有する袋体は、特に図示しないが、各々の同一の該交点（３ｊ）（４ｊ）近傍にある該直線第２端部（２４ｊ）（２６ｊ）（２５ｊ）（２７ｊ）間に一体的に、コイルばねからなる弾性体を各々設ける。
【００３６】
また、実施例１である、開閉具（１８）を有する袋体（５）について、次のようにしてもよい。本発明の他の一実施形態である、実施例２０である、開閉具（１８ｕ）を有する袋体（５ｕ）について記す。図１９は、袋体の開閉具（１８ｕ）を一部分解した斜視図である。開閉具（１８ｕ）を有する袋体（５ｕ）は、該直線部（８ｕ）（４６ｕ）（９ｕ）（４７ｕ）を各々の該辺（１ｕ）（２ｕ）に一体的に設けるについて、該袋体（５ｕ）の開口部（６ｕ）の上端（５１ｕ）（７２ｕ）にて、該袋体（５ｕ）に該直線部（８ｕ）（４６ｕ）（９ｕ）（４７ｕ）を接着する。ポリエチレン製の該袋体（５ｕ）の外面にヒートシーラ等によって該直線部（８ｕ）（４６ｕ）（９ｕ）（４７ｕ）の内面を熱接着してある。
【００３７】
また、実施例１である、開閉具（１８）を有する袋体（５）について、次のようにしてもよい。本発明の他の一実施形態である、実施例２１である、開閉具（１８ｖ）を有する袋体（５ｖ）について記す。図２０は、袋体の開閉具（１８ｖ）の開口部を閉じた状態の斜視図である。図２１は、袋体の開閉具（１８ｖ）を一部分解した斜視図である。開閉具（１８ｖ）を有する袋体（５ｖ）は、該直線部（８ｖ）（４６ｖ）（９ｖ）（４７ｖ）を各々の該辺（１ｖ）（２ｖ）に一体的に設けるについて、該袋体（５ｖ）の開口部（６ｖ）の上端（５１ｖ）（７２ｖ）にて、該袋体（５ｖ）に該直線部（８ｖ）（４６ｖ）（９ｖ）（４７ｖ）を接着する。ポリエチレン製の該袋体（５ｖ）の内面にヒートシーラ等によって該直線部（８ｖ）（４６ｖ）（９ｖ）（４７ｖ）の外面を熱接着してある。また、熱接着する場合の該袋体（５ｕ）（５ｖ）、該直線部（８ｕ）（４６ｕ）（９ｕ）（４７ｕ）（８ｖ）（４６ｖ）（９ｖ）（４７ｖ）の材質として、ポリエチレン、ポリ塩化ビニル、ポリプロピレン等の合成樹脂等があげられるが他の材料を選択してもよい。また、接着剤で接着してもよい。また、特に図示しないが、両面テープ等のテープ類を使用してもよい。
【００３８】
また、実施例１である、開閉具（１８）を有する袋体（５）について、次のようにしてもよい。本発明の他の一実施形態である、実施例２２である、開閉具（１８ｗ）を有する袋体（５ｗ）について記す。図２２は、袋体の開閉具（１８ｗ）（１８ｗ１）の開口部を閉じた状態の斜視図である。図２３は、袋体の開閉具（１８ｗ）（１８ｗ１）を一部分解した斜視図である。開閉具（１８ｗ）を有する袋体（５ｗ）は、該直線部（８ｗ）（９ｗ）（４６ｗ）（４７ｗ）を各々の該辺（１ｗ）（２ｗ）（１ｗａ）（２ｗａ）に一体的に設けるについて、該袋体（５ｗ）の開口部（６ｗ）の上端（５１）（７２）にて、該上端（５１）（７２）に設けた袋部（５２）（６９）（７０）（７１）に該直線部（８ｗ）（９ｗ）（４６ｗ）（４７ｗ）を挿入する。繊維等からなり、袋状にして、つなぎ目を糸等で縫って構成した袋部（５２）（６９）（７０）（７１）に該直線部（８ｗ）（９ｗ）（４６ｗ）（４７ｗ）を挿入してある。
【００３９】
また、実施例１である、開閉具（１８）を有する袋体（５）について、次のようにしてもよい。実施例２３である、開閉具（１８ｗ１）を有する袋体（５ｗ１）について記す。開閉具（１８ｗ１）を有する袋体（５ｗ１）は、図２２〜図２３にて、該袋体（５ｗ１）の開口部（６ｗ１）の上端（５１ｗ１）（７２ｗ１）にて、該袋体（５ｗ１）に該直線部（８ｗ１）（９ｗ１）（４６ｗ１）（４７ｗ１）を接着してある。ポリエチレン製の該袋体（５ｗ１）の袋部（５２ｗ１）（６９ｗ１）（７０ｗ１）（７１ｗ１）の内面にヒートシーラ等によって該直線部（８ｗ１）（９ｗ１）（４６ｗ１）（４７ｗ１）を熱接着してある。また、特に図示しないが、接着剤等で接着してもよい。
【００４０】
また、実施例１である、開閉具（１８）を有する袋体（５）について、次のようにしてもよい。本発明の他の一実施形態である、実施例２４である、開閉具（１８ｘ）を有する袋体（５ｘ）について記す。図２４は、袋体の開閉具（１８ｘ）の一部の分解した部分斜視図である。開閉具（１８ｘ）を有する袋体（５ｘ）は、該直線部（８ｘ）を各々の該辺（１ｘ）に一体的に設けるについて、該直線部（８ｘ）に設けた雄部（５３）を該袋体（５ｘ）に設けた孔（５４）を通して雌部（５５）と係止してある。特に図示しないが、該直線部に雌部を設け、別に設けた雄部と係止してもよい。また、雄部または雌部を該袋体に設けて係止してもよい。また、ビスとナットで係止してもよい。係止する場合の該雄部、該雌部、該直線部の材質として、合成樹脂、金属、ゴム等があげられるが他の材料を選択してもよい。
【００４１】
また、実施例８である、開閉具（１８ｇ）を有する袋体について、次のようにしてもよい。開閉具（１８ｇ）を有する袋体は、図９にて、一体的に弾性体（３３）を設けるについて、各々の同一の該辺（１ｇ）（２ｇ）上で対向する該接続線（１４ｇ）（１５ｇ）（１６ｇ）（１７ｇ）同士を延設して接続してある。また、実施例１である、開閉具（１８）を有する袋体（５）について、次のようにしてもよい。本発明の他の一実施形態である、実施例２５である、開閉具（１８ｙ）を有する袋体について記す。図２５は、袋体の開閉具（１８ｙ）の一部の部分斜視図である。図２６は、袋体の開閉具（１８ｙ）の一部の分解した部分斜視図である。開閉具（１８ｙ）を有する袋体は、開閉具（１８）を有する袋体（５）において、該第１ヒンジ（３０）に代えて、一体的に該弾性体（６６ｙ）を各々設けるについて、該弾性体（６６ｙ）の端部に設けた雄部（７３）（７４）と、該接続線（１６ｙ）（１７ｙ）の該連接点近傍に設けた雌部（７５）（７６）を各々係止してある。特に図示しないが、同様に、該弾性体の端部に設けた雌部と、該接続線の該連接点近傍に設けた雄部を各々係止してもよい。また、特に図示しないが、開閉具を有する袋体は、開閉具（１８）を有する袋体（５）において、該第１ヒンジ（３０）に代えて、一体的に該弾性体を各々設けるについて、該弾性体の端部と、該接続線の該連接点近傍の端部を各々接着、粘着してもよい。また、ビスとナットで係止してもよい。
【００４２】
また、実施例２１である、開閉具（１８ｖ）を有する袋体（５ｖ）について、次のようにしてもよい。開閉具（１８ｖ）を有する袋体（５ｖ）は、図２０〜図２１にて、該合成樹脂製チャック（３５ｖ１）（３５ｖ２）を該開口部（６ｖ）の対向した該内側面（３４ｖ）に設けるのにおいて、一部を切断して設けてもよい。該中央部（７ｖ）で切断してある。閉じた開口部を手で開く場合、開口部の端を両手の指でつまみながら開いているが、袋体の咬合する力が強いため、開口部を開く場合に、開こうとして力を加え過ぎ、合成樹脂製の袋体の強度より開く力が大きくなる場合がある。その際、交点近傍の袋体の一部が裂けたり、切断したりするという問題がある。開閉具（１８ｖ）を有する袋体（５ｖ）によれば、袋体の咬合する力を低減し、袋体の一部が裂けたり、切断したりするのを防止することができる。また、実施例２３である、開閉具（１８ｗ１）を有する袋体（５ｗ１）について、次のようにしてもよい。開閉具（１８ｗ１）を有する袋体（５ｗ１）は、図２２〜図２３にて、該合成樹脂製チャック（３５ｗ１）（３５ｗ２）（３５ｗ３）を該開口部（６ｗ１）の対向した該内側面（３４ｗ１）に設けるのにおいて、２段にして設けてもよい。中央部の該合成樹脂製チャック（３５ｗ２）と、両端の該合成樹脂製チャック（３５ｗ１）（３５ｗ３）とで２段にして分けてある。
【００４３】
また、実施例である、開閉具を有する袋体について、特に図示しないが、次のようにしてもよい。該支持部（４４）（４４ｂ）（４４ｎ）（４４ｐ）（４８）（４８ｂ）（４８ｎ）（４８ｐ）（４９）（４９ｂ）（４９ｎ）（４９ｐ）（５０）（５０ｂ）（５０ｎ）（５０ｐ）の材質として、合成樹脂、金属等があげられるが他の材料を選択してもよい。該弾性体（３３）（３３ｈ）（３３ｉ）（３３ｔ）（６６）（６６ｈ）（６６ｉ）（６６ｔ）（６６ｙ）（６７）（６８）の材質として、合成樹脂、金属、ゴム等があげられるが他の材料を選択してもよい。該袋体（５）（５Ａ）（５ｋ）（５ｍ）（５ｕ）（５ｖ）（５ｗ）（５ｗ１）（５ｘ）の材質として、合成樹脂、紙、繊維等があげられるが他の材料を選択してもよい。また、合成樹脂等からなる該支持部（４４）（４４ｂ）（４４ｎ）（４４ｐ）（４８）（４８ｂ）（４８ｎ）（４８ｐ）（４９）（４９ｂ）（４９ｎ）（４９ｐ）（５０）（５０ｂ）（５０ｎ）（５０ｐ）にて、内部に空気等を充填して構成してもよい。また、該第１ヒンジ（２９）（２９ｃ）（２９ｄ）（２９ｈ）（２９ｓ）（３０）（３０ｃ）（３０ｄ）（３０ｈ）（３０ｓ）、第２ヒンジ（３１）      （３１ｆ）（３２）の材質として、ポリオレフィン系の合成樹脂のほか、ポリ乳酸としてもよく、ポリ乳酸以外の脂肪族ポリエステル樹脂とポリ乳酸を混合した樹脂組成物としてもよいし、他の材料を選択してもよい。
【００４４】
また、開閉具を有する袋体について、特に図示しないが、次のようにしてもよい。開閉具を有する袋体は、互いに咬合するスナップ型ボタンを該開口部の対向した内側面に設けてもよい。ほかに、係合可能な他の係合具または係止可能な他の係止具を選択し設けてもよく、何度でも剥がせることが可能な市販の付箋紙等で使用の粘着剤等でもよい。
【００４５】
また、特に図示しないが、次のようにしてもよい。実施例６である、開閉具（１８ｅ）を有する袋体について、同一の該交点（３ｅ）近傍にある該直線第２端部（２４ｅ）（２６ｅ）間に指先等を保護する保護カバー等を設ける。同様に、同一の該交点（４ｅ）近傍にある該直線第２端部（２５ｅ）（２７ｅ）間に指先等を保護する保護カバー等を設ける。
【００４６】
また、実施例１である、開閉具（１８）を有する袋体（５）は、次のように言い換えることもできる。開閉具（１８）を有する袋体（５）は、図１〜図２にて、各々の同一の該直線部（８）（９）（４６）（４７）上に単数の該接続点（１０）（１２）（１１）（１３）を設けて同一の該連接点（２０）（２２）（２１）（２３）を有する単数の該接続線（１４）（１６）（１５）（１７）と該直線部（８）（９）（４６）（４７）とからなる該支持部（４４）（４９）（４８）（５０）とした開閉具（１８）を有する袋体（５）である。
【図面の簡単な説明】
【００４７】
【図１】実施例1である、袋体の開閉具（１８）の開口部を閉じた状態の斜視図。
【図２】実施例1である、袋体の開閉具（１８）、及び、実施例1２である、袋体の開閉具（１８ｋ）、及び、実施例1３である、袋体の開閉具（１８ｍ）の開口部を開いた状態の斜視図。
【図３】実施例２である、袋体の開閉具（１８ａ）の開口部を閉じた状態の斜視図。
【図４】実施例３である、袋体の開閉具（１８ｂ）の開口部を閉じた状態の斜視図。
【図５】実施例４である、袋体の開閉具（１８ｃ）の開口部を閉じた状態の斜視図。
【図６】実施例５である、袋体の開閉具（１８ｄ）の開口部を閉じた状態の斜視図。
【図７】実施例６である、袋体の開閉具（１８ｅ）の開口部を閉じた状態の斜視図。
【図８】実施例７である、袋体の開閉具（１８ｆ）の開口部を閉じた状態の斜視図。
【図９】実施例８である、袋体の開閉具（１８ｇ）の開口部を閉じた状態の斜視図。
【図１０】実施例９である、袋体の開閉具（１８ｈ）の開口部を閉じた状態の斜視図。
【図１１】実施例1０である、袋体の開閉具（１８ｉ）の開口部を閉じた状態の斜視図。
【図１２】実施例1１である、袋体の開閉具（１８ｊ）の開口部を閉じた状態の斜視図。
【図１３】実施例1４である、袋体の開閉具（１８ｎ）の開口部を閉じた状態の斜視図。
【図１４】実施例1５である、袋体の開閉具（１８ｐ）の開口部を閉じた状態の斜視図。
【図１５】実施例1６である、袋体の開閉具（１８ｑ）の開口部を閉じた状態の斜視図。
【図１６】実施例1７である、袋体の開閉具（１８ｒ）の開口部を閉じた状態の斜視図。
【図１７】実施例1８である、袋体の開閉具（１８ｓ）の開口部を閉じた状態の斜視図。
【図１８】実施例１９である、袋体の開閉具（１８ｔ）の開口部を閉じた状態の斜視図。
【図１９】実施例２０である、袋体の開閉具（１８ｕ）を一部分解した斜視図。
【図２０】実施例２１である、袋体の開閉具（１８ｖ）の開口部を閉じた状態の斜視図。
【図２１】実施例２１である、袋体の開閉具（１８ｖ）を一部分解した斜視図。
【図２２】実施例２２である、袋体の開閉具（１８ｗ）、及び、実施例２３である、袋体の開閉具（１８ｗ１）の開口部を閉じた状態の斜視図。
【図２３】実施例２２である、袋体の開閉具（１８ｗ）、及び、実施例２３である、袋体の開閉具（１８ｗ１）を一部分解した斜視図。
【図２４】実施例２４である、袋体の開閉具（１８ｘ）の一部の分解した部分斜視図。
【図２５】実施例２５である、袋体の開閉具（１８ｙ）の一部の部分斜視図。
【図２６】実施例２５である、袋体の開閉具（１８ｙ）の一部の分解した部分斜視図。
【図２７】従来例である、袋体の開口部を開いた状態の斜視図。
【図２８】他の実施例である、袋体の開閉具の開口部を閉じた状態の斜視図。
【符号の説明】
【００４８】
（１）        辺
（１Ａ）      辺
（１ｄ）      辺
（１ｇ）      辺
（１ｈ）      辺
（１ｕ）      辺
（１ｖ）      辺
（１ｗ）      辺
（１ｗａ）    辺
（１ｘ）      辺
（２）        辺
（２Ａ）      辺
（２ｄ）      辺
（２ｇ）      辺
（２ｈ）      辺
（２ｕ）      辺
（２ｖ）      辺
（２ｗ）      辺
（２ｗａ）    辺
（３）        交点
（３Ａ）      交点
（３ｅ）      交点
（３ｆ）      交点
（３ｇ）      交点
（３ｊ）      交点
（３ｎ）      交点
（３ｑ）      交点
（４）        交点
（４Ａ）      交点
（４ｅ）      交点
（４ｇ）      交点
（４ｊ）      交点
（４ｎ）      交点
（４ｑ）      交点
（５）        袋体
（５Ａ）      袋体
（５ｋ）      袋体
（５ｍ）      袋体
（５ｕ）      袋体
（５ｖ）      袋体
（５ｗ）      袋体
（５ｗ１）    袋体
（５ｘ）      袋体
（６）        開口部
（６Ａ）      開口部
（６ｃ）      開口部
（６ｄ）      開口部
（６ｎ）      開口部
（６ｕ）      開口部
（６ｖ）      開口部
（６ｗ）      開口部
（６ｗ１）    開口部
（７）        中央部
（７ｃ）      中央部
（７ｅ）      中央部
（７ｇ）      中央部
（７ｎ）      中央部
（７ｑ）      中央部
（７ｖ）      中央部
（８）        直線部
（８ｂ）      直線部
（８ｇ）      直線部
（８ｎ）      直線部
（８ｐ）      直線部
（８ｑ）      直線部
（８ｕ）      直線部
（８ｖ）      直線部
（８ｗ）      直線部
（８ｗ１）    直線部
（８ｘ）      直線部
（９）        直線部
（９ｂ）      直線部
（９ｇ）      直線部
（９ｎ）      直線部
（９ｐ）      直線部
（９ｑ）      直線部
（９ｕ）      直線部
（９ｖ）      直線部
（９ｗ）      直線部
（９ｗ１）    直線部
（１０）      接続点
（１０ｂ）    接続点
（１０ｐ）    接続点
（１１）      接続点
（１１ｂ）    接続点
（１１ｐ）    接続点
（１２）      接続点
（１２ｂ）    接続点
（１２ｐ）    接続点
（１３）      接続点
（１３ｂ）    接続点
（１３ｐ）    接続点
（１４）      接続線
（１４ｂ）    接続線
（１４ｇ）    接続線
（１４ｐ）    接続線
（１４ｒ）    接続線
（１５）      接続線
（１５ｂ）    接続線
（１５ｇ）    接続線
（１５ｐ）    接続線
（１５ｒ）    接続線
（１６）      接続線
（１６ｂ）    接続線
（１６ｇ）    接続線
（１６ｐ）    接続線
（１６ｒ）    接続線
（１６ｙ）    接続線
（１７）      接続線
（１７ｂ）    接続線
（１７ｇ）    接続線
（１７ｐ）    接続線
（１７ｒ）    接続線
（１７ｙ）    接続線
（１８）      開閉具
（１８ａ）    開閉具
（１８ｂ）    開閉具
（１８ｃ）    開閉具
（１８ｄ）    開閉具
（１８ｅ）    開閉具
（１８ｆ）    開閉具
（１８ｇ）    開閉具
（１８ｈ）    開閉具
（１８ｉ）    開閉具
（１８ｊ）    開閉具
（１８ｋ）    開閉具
（１８ｍ）    開閉具
（１８ｎ）    開閉具
（１８ｐ）    開閉具
（１８ｑ）    開閉具
（１８ｒ）    開閉具
（１８ｓ）    開閉具
（１８ｔ）    開閉具
（１８ｕ）    開閉具
（１８ｖ）    開閉具
（１８ｗ）    開閉具
（１８ｗ１）  開閉具
（１８ｘ）    開閉具
（１８ｙ）    開閉具
（１９）      板状体
（２０）      連接点
（２０ｂ）    連接点
（２０ｎ）    連接点
（２０ｐ）    連接点
（２０ｑ）    連接点
（２１）      連接点
（２１ｂ）    連接点
（２１ｎ）    連接点
（２１ｐ）    連接点
（２１ｑ）    連接点
（２２）      連接点
（２２ｂ）    連接点
（２２ｎ）    連接点
（２２ｐ）    連接点
（２２ｑ）    連接点
（２３）      連接点
（２３ｂ）    連接点
（２３ｎ）    連接点
（２３ｐ）    連接点
（２３ｑ）    連接点
（２４）      直線第２端部
（２４ｅ）    直線第２端部
（２４ｆ）    直線第２端部
（２４ｇ）    直線第２端部
（２４ｊ）    直線第２端部
（２５）      直線第２端部
（２５ｅ）    直線第２端部
（２５ｇ）    直線第２端部
（２５ｊ）    直線第２端部
（２６）      直線第２端部
（２６ｅ）    直線第２端部
（２６ｆ）    直線第２端部
（２６ｇ）    直線第２端部
（２６ｊ）    直線第２端部
（２７）      直線第２端部
（２７ｅ）    直線第２端部
（２７ｇ）    直線第２端部
（２７ｊ）    直線第２端部
（２８）      棒状体
（２９）      第１ヒンジ
（２９ｃ）    第１ヒンジ
（２９ｄ）    第１ヒンジ
（２９ｈ）    第１ヒンジ
（２９ｓ）    第１ヒンジ
（３０）      第１ヒンジ
（３０ｃ）    第１ヒンジ
（３０ｄ）    第１ヒンジ
（３０ｈ）    第１ヒンジ
（３０ｓ）    第１ヒンジ
（３１）      第２ヒンジ
（３１ｆ）    第２ヒンジ
（３２）      第２ヒンジ
（３３）      弾性体
（３３ｈ）    弾性体
（３３ｉ）    弾性体
（３３ｔ）    弾性体
（３４）      内側面
（３４ｖ）    内側面
（３４ｗ１）  内側面
（３５）      合成樹脂製チャック
（３５ｖ１）  合成樹脂製チャック
（３５ｖ２）  合成樹脂製チャック
（３５ｗ１）  合成樹脂製チャック
（３５ｗ２）  合成樹脂製チャック
（３５ｗ３）  合成樹脂製チャック
（３６）      面ファスナー
（３７）      湾曲状
（３８）      直線状
（３９）      蝶番
（４０）      直線第１端部
（４０ｑ）    直線第１端部
（４１）      直線第１端部
（４１ｑ）    直線第１端部
（４２）      直線第１端部
（４２ｑ）    直線第１端部
（４３）      直線第１端部
（４３ｑ）    直線第１端部
（４４）      支持部
（４４ｂ）    支持部
（４４ｎ）    支持部
（４４ｐ）    支持部
（４５）      中心
（４５ｃ）    中心
（４６）      直線部
（４６ｂ）    直線部
（４６ｇ）    直線部
（４６ｎ）    直線部
（４６ｐ）    直線部
（４６ｑ）    直線部
（４６ｕ）    直線部
（４６ｖ）    直線部
（４６ｗ）    直線部
（４６ｗ１）  直線部
（４７）      直線部
（４７ｂ）    直線部
（４７ｇ）    直線部
（４７ｎ）    直線部
（４７ｐ）    直線部
（４７ｑ）    直線部
（４７ｕ）    直線部
（４７ｖ）    直線部
（４７ｗ）    直線部
（４７ｗ１）  直線部
（４８）      支持部
（４８ｂ）    支持部
（４８ｎ）    支持部
（４８ｐ）    支持部
（４９）      支持部
（４９ｂ）    支持部
（４９ｎ）    支持部
（４９ｐ）    支持部
（５０）      支持部
（５０ｂ）    支持部
（５０ｎ）    支持部
（５０ｐ）    支持部
（５１）      上端
（５１ｕ）    上端
（５１ｖ）    上端
（５１ｗ１）  上端
（５２）      袋部
（５２ｗ１）  袋部
（５３）      雄部
（５４）      孔
（５５）      雌部
（５６）      接続点
（５６ｎ）    接続点
（５６ｐ）    接続点
（５７）      接続点
（５７ｎ）    接続点
（５７ｐ）    接続点
（５８）      接続点
（５８ｎ）    接続点
（５８ｐ）    接続点
（５９）      接続点
（５９ｎ）    接続点
（５９ｐ）    接続点
（６０）      接続線
（６０ｎ）    接続線
（６０ｐ）    接続線
（６１）      接続線
（６１ｎ）    接続線
（６１ｐ）    接続線
（６２）      接続線
（６２ｎ）    接続線
（６２ｐ）    接続線
（６３）      接続線
（６３ｎ）    接続線
（６３ｐ）    接続線
（６４）      合成樹脂製チャック
（６５）      面ファスナー
（６６）      弾性体
（６６ｈ）    弾性体
（６６ｉ）    弾性体
（６６ｔ）    弾性体
（６６ｙ）    弾性体
（６７）      弾性体
（６８）      弾性体
（６９）      袋部
（６９ｗ１）  袋部
（７０）      袋部
（７０ｗ１）  袋部
（７１）      袋部
（７１ｗ１）  袋部
（７２）      上端
（７２ｕ）    上端
（７２ｖ）    上端
（７２ｗ１）  上端
（７３）      雄部
（７４）      雄部
（７５）      雌部
（７６）      雌部
（矢印Ｎ１）    方向
（矢印Ｎ２）    方向
（矢印Ｍ）      方向
（矢印Ｍｎ）    方向
（矢印Ｓ１）    外方
（矢印Ｓ１ｎ）  外方
（矢印Ｓ２）    外方
（矢印Ｓ２ｎ）  外方
（矢印Ｔ）      方向
（矢印Ｔｎ）    方向
（矢印Ｔｑ）    方向
（矢印Ｙ１）    方向
（矢印Ｙ１ｅ）  方向
（矢印Ｙ１ｇ）  方向
（矢印Ｙ２）    方向
（矢印Ｙ２ｅ）  方向
（矢印Ｙ２ｇ）  方向
【図１】
2008230655.tif 000003
【図２】
2008230655.tif 000004
【図３】
2008230655.tif 000005
【図４】
2008230655.tif 000006
【図５】
2008230655.tif 000007
【図６】
2008230655.tif 000008
【図７】
2008230655.tif 000009
【図８】
2008230655.tif 000010
【図９】
2008230655.tif 000011
【図１０】
2008230655.tif 000012
【図１１】
2008230655.tif 000013
【図１２】
2008230655.tif 000014
【図１３】
2008230655.tif 000015
【図１４】
2008230655.tif 000016
【図１５】
2008230655.tif 000017
【図１６】
2008230655.tif 000018
【図１７】
2008230655.tif 000019
【図１８】
2008230655.tif 000020
【図１９】
2008230655.tif 000021
【図２０】
2008230655.tif 000022
【図２１】
2008230655.tif 000023
【図２２】
2008230655.tif 000024
【図２３】
2008230655.tif 000025
【図２４】
2008230655.tif 000026
【図２５】
2008230655.tif 000027
【図２６】
2008230655.tif 000028
【図２７】
2008230655.tif 000029
【図２８】
2008230655.tif 000030